【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
予め選定された写真撮影場所の表示と、当該写真撮影場所で撮影した写真を添付するための写真枠のデータ含み、単位エリア毎に生成された旅行案内データ群を記憶した記憶装置と、
前記旅行案内データ群中から任意の旅行案内データを選択するための選択画面を表示して、その結果を示す選択情報を取得するデータ選択制御手段と、
前記選択情報を受け入れて、選択された前記単位エリアの旅行案内データを取得し編集
して、ガイドブックデータを生成するガイドブック編集手段と、
アルバム加工用の編集操作を受け付けるとともに、ディジタル画像データを前記ガイドブックデータの該当する写真枠中に貼り付けて合成処理を実行するアルバム編集手段と、
前記ガイドブックデータを出力処理するガイドブック出力手段とを備え、
ことを特徴とする旅行アルバム提供システム。
【請求項２】
請求項１に記載の旅行アルバム提供システムにおいて、
前記アルバム編集手段は、前記写真枠中に他の写真枠と区別するための識別情報の表示を含め、
いずれかの写真枠に貼り付けるべき前記ディジタル画像データをネットワークを通じて取得し、前記ディジタル画像データに含まれた識別情報といずれかの写真枠中に表示された識別情報とが一致したとき、当該写真枠中に、前記ディジタル画像データを貼り付けて、          前記ガイドブックデータと前記ディジタル画像データの合成処理を実行することを特徴とする旅行アルバム提供システム。
【請求項３】
請求項２に記載の旅行アルバム提供システムにおいて、
前記記憶装置には、利用者の携帯端末のメールアドレスと旅行日を含むアルバム編集情
報を記憶し、該当する旅行日以前に前記メールアドレスに対して、アルバム用データ要求メールを送信して、前記携帯端末から返信されたアルバム用データを取得するメール管理手段と、
を備えたことを特徴とする旅行アルバム提供システム。
【請求項４】
請求項３に記載の旅行アルバム提供システムにおいて、
アルバム用データには、旅行先で撮影されたディジタル画像データと任意のメッセージ
を含めたことを特徴とする旅行アルバム提供システム。
【請求項５】
コンピュータ装置に、
予め選定された写真撮影場所の表示と当該写真撮影場所で撮影した写真を添付するための写真枠のデータ含み、単位エリア毎に生成された旅行案内データ群を記憶する記憶ステップと、
前記旅行案内データ群中から任意の旅行案内データを選択するための、選択画面を表示
して、その結果を示す選択情報を取得するデータ選択制御ステップと、
前記選択情報を受け入れて、選択された前記単位エリアの旅行案内データを取得し編集
して、ガイドブックデータを生成するガイドブック編集ステップと、
アルバム加工用の編集操作を受け付けるとともにディジタル画像データを前記ガイドブックデータの該当する写真枠中に貼り付けて合成処理を実行するアルバム編集ステップと、
前記ガイドブックデータを出力処理するガイドブック出力ステップと、
を実行させることを特徴とする旅行アルバム提供プログラム。
【手続補正２】
【補正対象書類名】明細書
【補正対象項目名】発明の名称
【補正方法】変更
【補正の内容】
【発明の名称】旅行アルバム提供システムと旅行アルバム提供プログラム
【手続補正３】
【補正対象書類名】明細書
【補正対象項目名】０００４
【補正方法】変更
【補正の内容】
【０００４】
本発明の各実施例においては、それぞれ次のような構成により上記の課題を解決する。
〈構成１〉予め選定された写真撮影場所の表示と当該写真撮影場所で撮影した写真を添付するための写真枠のデータ含み、単位エリア毎に生成された旅行案内データ群を記憶した記憶装置と、
前記旅行案内データ群中から任意の旅行案内データを選択するための、選択画面を表示
して、その結果を示す選択情報を取得するデータ選択制御手段と、
前記選択情報を受け入れて、選択された前記単位エリアの旅行案内データを取得し編集
して、ガイドブックデータを生成するガイドブック編集手段と、
アルバム加工用の編集操作を受け付けるとともにディジタル画像データを、前記ガイド
ブックデータの該当する写真枠中に貼り付けて合成処理を実行するアルバム編集手段と、
前記ガイドブックデータを出力処理するガイドブック出力手段とを備え、
ことを特徴とする旅行アルバム提供システム。
【手続補正４】
【補正対象書類名】明細書
【補正対象項目名】０００７
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
〈構成２〉構成１に記載の旅行アルバム提供システムにおいて、
前記アルバム編集手段は、前記写真枠中に他の写真枠と区別するための識別情報の表示を含め、
いずれかの写真枠に貼り付けるべき前記ディジタル画像データをネットワークを通じて取得し、前記ディジタル画像データに含まれた識別情報といずれかの写真枠中に表示された識別情報とが一致したとき、当該写真枠中に、前記ディジタル画像データを貼り付けて、          前記ガイドブックデータと前記ディジタル画像データの合成処理を実行することを特徴とする旅行アルバム提供システム。
【手続補正８】
【補正対象書類名】明細書
【補正対象項目名】００１３
【補正方法】変更
【補正の内容】
【００１３】
〈構成３〉構成２に記載の旅行アルバム提供システムにおいて、
前記記憶装置には、利用者の携帯端末のメールアドレスと旅行日を含むアルバム編集情
報を記憶し、該当する旅行日以前に前記メールアドレスに対して、アルバム用データ要求メールを送信して、前記携帯端末から返信されたアルバム用データを取得するメール管理手段と、
を備えたことを特徴とする旅行アルバム提供システム。
【手続補正９】
【補正対象書類名】明細書
【補正対象項目名】００１５
【補正方法】変更
【補正の内容】
【００１５】
〈構成４〉構成３に記載の旅行アルバム提供システムにおいて、
アルバム用データには、旅行先で撮影されたディジタル画像データと任意のメッセージ
を含めたことを特徴とする旅行アルバム提供システム。
【手続補正１０】
【補正対象書類名】明細書
【補正対象項目名】００１７
【補正方法】変更
【補正の内容】
【００１７】
〈構成５〉コンピュータ装置に、
予め選定された写真撮影場所の表示と当該写真撮影場所で撮影した写真を添付するための
写真枠のデータ含み、単位エリア毎に生成された旅行案内データ群を記憶する記憶ステップと、
前記旅行案内データ群中から任意の旅行案内データを選択するための、選択画面を表示
して、その結果を示す選択情報を取得するデータ選択制御ステップと、
前記選択情報を受け入れて、選択された前記単位エリアの旅行案内データを取得し編集
して、ガイドブックデータを生成するガイドブック編集ステップと、
アルバム加工用の編集操作を受け付けるとともにディジタル画像データを、前記ガイド
ブックデータの該当する写真枠中に貼り付けて合成処理を実行するアルバム編集ステップと、
前記ガイドブックデータを出力処理するガイドブック出力ステップと、
を実行させることを特徴とする旅行アルバム提供プログラム。